(57)【要約】【課題】洗濯槽内に高温多湿の気体を供給するもので、熱に弱い洗濯物にもダメージを与えることなく、洗濯物の汚れ落ちを良くできるようにする。【解決手段】洗い行程時、ドラム（洗濯槽）９内の空気が空気循環装置３７で循環され、その途中でヒートポンプ４２の凝縮器３９により加熱されて温風化される。又、そのとき、凝縮器３９の外表面に注水することにより、水の気化が促進され、そこを循環空気が通ることによって、循環空気は加湿もされる。かくして、ドラム９内に高温多湿の空気が供給されるようになり、その高温多湿の空気はドラム９内空気の循環と凝縮器３９への注水とで生成したもので、温度が凝縮器３９の温度に依存するため、水を加熱し沸騰させて生成したスチームより低温であり、かくして、洗濯物に適度な温度の熱を与えるから、熱に弱い洗濯物にもダメージを与えることなく、洗濯物の汚れ落ちを良くすることができる。【選択図】図１
2009225944.tif 000002
【特許請求の範囲】
【請求項１】
洗濯槽と、
この洗濯槽内の空気を洗濯槽外の通風路を通して洗濯槽内に戻す循環を行わしめる空気循環装置と、
この空気循環装置の前記通風路に蒸発器と凝縮器とを配設して、それらと圧縮機及び絞り器を接続パイプにより接続することにより冷凍サイクルを構成したヒートポンプとを具えたものであって、
前記洗濯槽内で洗濯物を洗浄する洗い行程において、前記空気循環装置と前記ヒートポンプとを運転させると共に、前記凝縮器の外表面に注水することによって前記空気循環装置により循環される空気を加湿するようにしたことを特徴とする洗濯乾燥機。
【請求項２】
注水中の凝縮器の温度を所定温度に維持する制御をするようにしたことを特徴とする請求項１記載の洗濯乾燥機。
【請求項３】
凝縮器における冷媒の流れと循環空気の流れとが逆方向であって、注水を、該凝縮器における冷媒の凝縮ポイントより冷媒流れの上流側の部分に対して行うようにしたことを特徴とする請求項１記載の洗濯乾燥機。
【請求項４】
凝縮器の温度を検知する温度検知手段を具え、凝縮器に注水したときのその温度検知手段の検知結果に基づいて、圧縮機の駆動を制御するようにしたことを特徴とする請求項１記載の洗濯乾燥機。
【請求項５】
洗い行程において洗濯槽に対し給水する給水動作の前に、空気循環装置とヒートポンプの運転、並びに凝縮器への注水を実行するようにしたことを特徴とする請求項１記載の洗濯乾燥機。
【請求項６】
洗濯槽が、回転をすることによって洗濯物の洗浄をするドラムであって、洗い行程において、ドラムの最低部以下水位の給水をし、その後に、ドラムの回転と、空気循環装置及びヒートポンプの運転、並びに凝縮器への注水を実行するようにしたことを特徴とする請求項１記載の洗濯乾燥機。
【発明の詳細な説明】
【技術分野】
【０００１】
本発明は、洗濯槽内に高温多湿の気体を供給して洗浄効果を高めるようにした洗濯乾燥機に関する。
【背景技術】
【０００２】
従来より、洗濯機においては、洗い行程時に洗濯槽内に高温多湿の気体を供給するようにしたものが供されている（例えば特許文献１、２参照）。このものは、水を加熱し沸騰させて生成したスチームを洗濯槽内に供給するもので、その高温のスチームの供給により、洗濯物の温度を上げ、それらによって洗濯物の汚れの落ちを良くするものである。特に、落ちにくい汚れの代表である動物性油脂は溶解温度が約５０〜８０〔℃〕であり、それが高温のスチームによって溶解されることで、洗濯物の汚れの落ちが良くなる。
【０００３】
又、洗濯物に熱を効率良く伝えるには、空気よりも熱容量の大きな水分による方が効果的であり、その意味でスチームは有効な手段である。
【特許文献１】特開２００４−２９８６１６号公報
【特許文献２】特開２００５−１９２９９７号公報
【発明の開示】
【発明が解決しようとする課題】
【０００４】
しかしながら、上述のように水を加熱し沸騰させて生成したスチームは、温度が最大で１００〔℃〕にもなるもので、それが洗濯物に触れたとき、特に化繊等の熱に弱い洗濯物ではダメージが大きく、例えばナイロンやアクリル等では硬化や変形を来たす。
【０００５】
本発明は上述の事情に鑑みてなされたものであり、従ってその目的は、洗濯槽内に高温多湿の気体を供給するもので、熱に弱い洗濯物にもダメージを与えることなく、洗濯物の汚れ落ちを良くできる洗濯乾燥機を提供するにある。
【課題を解決するための手段】
【０００６】
上記目的を達成するために、本発明の洗濯乾燥機においては、洗濯槽と、この洗濯槽内の空気を洗濯槽外の通風路を通して洗濯槽内に戻す循環を行わしめる空気循環装置と、この空気循環装置の前記通風路に蒸発器と凝縮器とを配設して、それらと圧縮機及び絞り器を接続パイプにより接続することにより冷凍サイクルを構成したヒートポンプとを具えたものであって、前記洗濯槽内で洗濯物を洗浄する洗い行程において、前記空気循環装置と前記ヒートポンプとを運転させると共に、前記凝縮器の外表面に注水することによって前記空気循環装置により循環される空気を加湿するようにしたことを特徴とする（請求項１の発明）。
【発明の効果】
【０００７】
上記手段によれば、洗い行程時、洗濯槽内の空気が空気循環装置で循環され、その循環途中でヒートポンプの凝縮器により加熱されて温風化される。又、そのとき、凝縮器の外表面に注水することによって、水の気化が促進され、そこを循環空気が通ることにより、循環空気は加湿もされる。かくして、洗濯槽内に高温多湿の空気が供給されるようになり、その高温多湿の空気は洗濯槽内空気の循環と凝縮器への注水とで生成したもので、温度が凝縮器の温度に依存するため、水を加熱し沸騰させて生成したスチームよりも低温であり、かくして、洗濯物に適度な温度の熱を与えるから、熱に弱い洗濯物にもダメージを与えることなく、洗濯物の汚れ落ちを良くすることができる。
【発明を実施するための最良の形態】
【０００８】
以下、本発明の第１実施例（第１の実施形態）につき、図１ないし図５を参照して説明する。
まず、図１には、ドラム式洗濯乾燥機の全体構成を示しており、外箱１の内部に、水槽２を配置している。水槽２は軸方向が前後（図１で左右）の横軸円筒状を成すもので、それを複数（１つのみ図示）のサスペンション３により外箱１の底面上に弾性支持しており、その支持形態は前上がりの傾斜状である。
【０００９】
水槽２の前側（図１で左側）の端面部には開口部４を形成しており、この開口部４を外箱１の前面部に形成した洗濯物出し入れ用の開口部５に環状のベローズ６で連ねており、外箱１の開口部５には扉７を開閉可能に設けている。
【００１０】
一方、水槽２の後側の端板部の背面にはモータ８を取付けている。このモータ８は、アウターロータ形であり、更に、この場合、ブラシレスＤＣモータであって、ロータ８ａの中心部に回転軸８ｂを有し、この回転軸８ｂを水槽２の後側の端板部の中心部を回転可能に挿通させて、水槽２の内部に位置させている。
【００１１】
水槽２の内部にはドラム９を配置している。このドラム９も、軸方向が前後の横軸円筒状を成すもので、後側の端面部の中心部を上記モータ８の回転軸８ｂに取付けることにより、該ドラム９も、水槽２と同軸の前上がりの傾斜状態に設けている。又、その結果、ドラム９はモータ８により回転軸８ｂを中心に回転されるようになっており、従って、モータ８は、ドラム９を回転させる駆動装置として機能するようになっている。
【００１２】
ドラム９の前側の端面部には開口部１０を形成しており、この開口部１０を水槽２の前記開口部４が囲繞している。又、このドラム９の開口部１０周りの内部には、例えば液体封入形の回転バランサ１１を設けており、周側部（胴部）９ａには、ほゞ全域に孔１２を形成している（一部のみ図示）。この孔１２は、洗濯時及び脱水時に通水孔として機能し、乾燥時には通風孔として機能するものである。このほか、ドラム９の周側部の内面には、洗濯物撹拌用のバッフル１３を複数個設けている。
【００１３】
更に、水槽２の前側の端面部の上部（前記開口部４より上方の部分）には温風出口１４を形成し、後側の端板部の上部に温風入口１５を形成している。又、ドラム９の後端板部２ａには、温風入口１５に対応させて通気口１６を、前記モータ８の回転軸８ｂを中心とする環状の配置にて多数形成している。
【００１４】
水槽２の底部の最後部には、排水口１７を形成しており、この排水口１７に水槽２外で排水管１８を接続し、該排水管１８には循環ポンプ１９と排水弁２０を順に設けている。このうち、循環ポンプ１９は、水槽２内の水を排水管１８を通じ吸引して、送水ホース２１を通じドラム９内にこれの開口部１０から戻し循環させるもので、排水弁２０は、水槽２内の水を排水管１８から排水ホース２２を通じ排出するものである。
【００１５】
又、水槽２の下方（外箱１の底面上）には、台板２３を配置し、この台板２３上に通風ダクト２４を配置している。この通風ダクト２４は、前端部の上部に吸風口２５を有しており、この吸風口２５部分にはリントフィルタ２６を内設している。吸風口２５には又、前記水槽２の温風出口１４を還風ダクト２７及び可撓性のある接続ホース２８を介して接続している。なお、還風ダクト２７は前記水槽２の開口部４の左側を迂回するように配管している。
【００１６】
一方、通風ダクト２４の後端部には循環用送風機２９のケーシング３０を接続しており、このケーシング３０の出口部３１を、可撓性のある接続ホース３２及び給風ダクト３３を介して、前記水槽２の温風入口１５に接続している。なお、給風ダクト３３は前記モータ８の左側を迂回するように配管している。
かくして、還風ダクト２７、接続ホース２８、通風ダクト２４、循環用送風機２９のケーシング３０、接続ホース３２、及び給風ダクト３３により、前記水槽２の温風出口１４と温風入口１５とを接続する通風路３４を設けている。
【００１７】
循環用送風機２９は、ケーシング３０の内部に羽根車３５を有しており、この羽根車３５を、ケーシング３０の外部に配設したモータ３６により回転させるようにしていて、それによる送風作用で、前記ドラム９内の空気を、上記通風路３４を通してドラム９外に出した後、ドラム９の通気口１６からドラム９内に戻す循環を行わしめるようになっており、もって、通風路３４と循環用送風機２９とによりドラム９内の空気を循環させる空気循環装置３７を構成している。
【００１８】
しかして、通風路３４中、通風ダクト２４の内部には、前部（循環空気流の上流側）に蒸発器３８を配設しており、後部（循環空気流の下流側）に凝縮器３９を配設している。これらの蒸発器３８及び凝縮器３９は、図２に示すように、圧縮機４０及び絞り器（特には電子式の開度調節可能な絞り弁は）４１と共にヒートポンプ４２を構成するもので、このヒートポンプ４２においては、接続パイプ４３によって、圧縮機４０、凝縮器３９、絞り器４１、蒸発器３８、及び圧縮機４０の順にこれらをサイクル接続しており（冷凍サイクル）、圧縮機４０が作動することによって図示しない冷媒（例えばＲ１３４ａ）を循環させるようになっている。なお、圧縮機４０と絞り器４１は通風ダクト２４外に配設している（圧縮機４０のみ、図１に図示）。
【００１９】
そして、前記凝縮器３９の直上には注水器４４を配設している。この注水器４４は凝縮器３９の外表面に注水するもので、凝縮器３９側とは反対の側（上部）に注水受口４４ａを有し、この注水受口４４ａに注水チューブ４５の先端部を接続し、この注水チューブ４５の反対側の基端部を、前記外箱１内上部の後方部に配設した給水弁４６の出口部の一つに接続している。
【００２０】
図３の（ｂ）は上記凝縮器３９を拡大して概略的平面図で表しており、凝縮器３９は、同図に示すように、蛇行状を成す例えば銅製の冷媒流通パイプ３９ａに、例えばアルミニウム薄板製の伝熱フィン３９ｂを多数平行に取着して成るフィンドチューブ形のもので、この凝縮器３９における冷媒の流れは矢印Ａで示すように図で右側から左側へであり、循環空気の流れは矢印Ｂで示すように図で左側から右側へであって、それらは逆方向となっている。
【００２１】
そして、ＣＰは、この凝縮器３９において冷媒流通パイプ３９ａを上述のように流れる冷媒が後述のごとく気体から液体に代わる点である凝縮ポイントを示しており、注水器４４は、「注水域」で示すように、この凝縮ポイントＣＰより冷媒流れの上流側の部分の直上に配置し、該冷媒流れの上流側の部分に対して注水をするようにしている。
【００２２】
給水弁４６は、上記注水チューブ４５の基端部を接続した出口部のほかにも、出口部を複数有するもので、それらを前記外箱１内上部の前方部に配設した給水ケース４７に接続パイプ４８によって接続している。
【００２３】
給水ケース４７は、詳しくは図示しないが、洗剤投入部並びに柔軟仕上剤投入部を有していて、上記給水弁４６は、出口部の開放の選択により、水道水を、洗い行程時に前記注水チューブ４５から注水器４４を経て凝縮器３９上部の外表面上に滴下させて伝熱フィン３９ｂ間に注水すると共に、給水ケース４７の洗剤投入部を経て前記水槽２内に給水し、すすぎ行程時の終期に給水ケース４７の柔軟仕上剤投入部を経て同じく水槽２内に給水するようになっている。
なお、外箱１内の上部には、そのほかに、電源系の制御部４９や表示系の制御部５０を配設している。
【００２４】
次に、上記構成の洗濯乾燥機の作用を述べる。
上記構成の洗濯乾燥機では、標準的な運転コースが開始されると、図４に示すように、「洗い行程」、「すすぎ行程」、「脱水行程」、及び「乾燥行程」の順に運転が実行されるもので、「洗い行程」では、最初に「加熱」動作が実行される。この「加熱」動作は、ドラム９を低速で正逆両方向に回転させつつ、循環用送風機２９を作動させ、同時にヒートポンプ４２の圧縮機４０を作動させると共に、給水弁４６から注水チューブ４５及び注水器４４を経て凝縮器３９に水道水を注水する内容で行われる。
【００２５】
循環用送風機２９を作動させれば、羽根車３５の送風作用で、図１に矢印で示すように、水槽２内の空気が温風出口１４から通風路３４の還風ダクト２７及び接続ホース２８を経て通風ダクト２４内に流入される。
【００２６】
又、ヒートポンプ４２の圧縮機４０を作動させれば、ヒートポンプ４２に封入した冷媒が圧縮機４０により圧縮されて高温高圧の冷媒となり、その高温高圧の冷媒が凝縮器３９に流れて、通風ダクト２４内の空気と熱交換する。その結果、通風ダクト２４内の空気が加熱され、反対に、冷媒の温度は低下して液化される。この液化された冷媒が、次に、絞り器４１を通って減圧された後、蒸発器３８に流入し、気化する。それにより、蒸発器３８は通風ダクト２４内の空気を冷却する。蒸発器３８を通過した冷媒は圧縮機４０に戻る。
これらにより、前記水槽２内から通風ダクト２４内に流入した空気は、蒸発器３８で冷却されて除湿され、その後に凝縮器３９で加熱されて温風化される。
【００２７】
そして、給水弁４６から注水チューブ４５及び注水器４４を経て凝縮器３９に滴下させて注水すれば、その水は凝縮器３９で気化が促進され、そこを上述の空気が通ることにより、該空気は加湿もされる。
【００２８】
ここで、凝縮器３９の温度は、前述のように、凝縮ポイントＣＰでは、高圧側（圧縮機４０側）の圧力に対応する値となり、ヒートポンプ４２の冷媒にＲ１３４ａを用いた上記構成のものの場合、一般には約７５〜８０〔℃〕となる。又、凝縮ポイントＣＰより冷媒流れの上流側（圧縮機４０側）では、凝縮器３９の温度は、より高い温度の約８０〜１００〔℃〕（圧縮機４０の冷媒吐出温度が約１００〔℃〕であり、それ以下の温度）となる。上記構成のものの場合、この凝縮ポイントＣＰより冷媒流れの上流側の部分の直上に注水器４４を配置し、該冷媒流れの上流側の部分に対して注水をするようにしている。従って、凝縮器３９に滴下させた水道水は、その、より高い温度で加熱されることになり、動物性油脂の溶解温度である約８０〔℃〕の水温とすることができる。
【００２９】
かくして、高温多湿となった空気が接続ホース３２から給風ダクト３３を経て、温風入口１５から水槽２内に供給され、更に、通気口１６からドラム９内に供給される。
そして、ドラム９内に供給された高温多湿の空気は洗濯物を加熱して、前記温風出口１４から還風ダクト２７及び接続ホース２８を経て通風ダクト２４内に流入し、循環される。
【００３０】
圧縮機４０の駆動はインバータで例えば８０〔Ｈｚ〕の周波数で行い、ヒートポンプ４２を動作させる。絞り器４１は開度が調節できるものであり、初期にはその開度を約６０〔％〕として、経済的に、蒸発器３８が凍結しない範囲で開度を弱め、最終的には約１０〜２０〔％〕とする。この開度は、あらかじめ試験的にサイクルが安定して動作する運転条件を把握して決定する方法のほか、蒸発器３８の出入口の温度差を基準としてサイクルのマッチングを制御する方法でも良い。
【００３１】
圧縮機４０の運転は、消費電力と圧縮機４０内の圧力とが許す範囲で高く設定する方が、冷媒の循環流量が増え、凝縮器３９の温度上昇を早めることができる。凝縮器３９の温度は、通常、前述の凝縮ポイントで圧縮機４０の冷媒吐出圧力と相関ある温度が取れることから、この点を試験的に求め、サーミスタ等の温度センサにより温度を検知し制御する。従って、上記構成のものの場合、凝縮器３９の凝縮ポイントに、温度検知手段である温度センサ（図示せず）を設けている。この温度センサで検知する凝縮器３９の凝縮ポイントの温度により、圧縮機４０の冷媒吐出圧力が把握でき、その圧力の制限内で運転を制御することができる。上記構成のものにおいては、この温度を許される上限温度に維持すべく、凝縮器３９への水道水の滴下と、圧縮機４０の冷媒吐出圧力の調整とによって制御を加え、最大の熱量を与えられるようにしている。
【００３２】
本実施例では、図５に示すように、７８〔℃〕の凝縮器３９の温度をしきい値として、８５〔℃〕を超えないように制御を行っている。その制御は、具体的には、凝縮器３９の温度が７８〔℃〕を超えた時点で、凝縮器３９に、例えば毎分０．５〜１．５リットルの流量の水を約２０秒間ずつ滴下させ、この各注水で凝縮器３９の温度が下がり過ぎることのないように、圧縮機４０の冷媒吐出圧力を高める方法である。
【００３３】
循環用送風機２９は、圧縮機４０の駆動開始時点から作動しており、ドラム９の入口（通気口１６）部分の温度は、凝縮器３９の温度上昇と共に上昇し、約７５〔℃〕で一定となる。ドラム９内に供給する空気の湿度は、凝縮器３９への注水ごとに上昇し、最終的にほゞ飽和に近い状態とすることができる。
【００３４】
ドラム９内に供給された高温多湿の空気は、洗濯物に当たって熱を洗濯物に与え、湿度は一部が洗濯物の表面に結露して、該洗濯物の表面に残り、高い熱容量により温度を維持する効果を奏する。これにより、油脂、特には動物性油脂が溶解しやすくなる。又、一般には、油脂に土やほこりといった他の固形物並びにたんぱく質等が複合して付着しており、それが、溶け出した油脂の離れと共に洗濯物から剥離し、かくして、洗濯物の汚れの落ちが良くなる。
【００３５】
この「加熱」動作の後には、「給水」動作が実行される。この「給水」動作は、給水弁４６により給水ケース４７の洗剤投入部を経て水槽２内へ給水する内容で行われるもので、このときには又、循環ポンプ１９を作動させることにより、水槽２内の水を排水管１８を通じ吸引して、送水ホース２１を通じドラム９内にこれの開口部１０から戻し循環させることで、洗濯物の吸水を進行させる。
【００３６】
この「給水」動作の後には、「洗い」動作が実行される。この「洗い」動作は、ドラム９を低速で正逆両方向に交互に回転させ、洗濯物のいわゆる叩き洗いをする内容で行われる。
この「洗い」動作の後には、「排水」動作が実行される。この「排水」動作は、排水弁２０を開放させて水槽２内の水を排出する内容で行われる。
【００３７】
次の「すすぎ行程」では、上記「洗い行程」における「給水」動作、「洗い」動作、及び「排水」動作と同様の「給水」動作、「すすぎ」動作、及び「排水」動作が実行される。
「脱水行程」では、上記「すすぎ」行程の最後に開放させた排水弁２０を開放させたまま、ドラム９を高速で一方向に回転させる動作が行われ、それによって、ドラム９内の洗濯物が遠心脱水される。
【００３８】
「乾燥行程」では、ドラム９を低速で正逆両方向に回転させつつ、循環用送風機２９を作動させ、同時にヒートポンプ４２の圧縮機４０を作動させる。すると、前述の「洗い」行程における「加熱」動作と同様に、ドラム９内の空気が通風路３４を通して循環され、その途中の通風ダクト２４で蒸発器３８により冷却除湿され、凝縮器３９で加熱されて、ドラム９内に供給される。
ドラム９内に供給された温風は洗濯物の水分を奪った後、ドラム９内から出て通風路３４を通る。かくして、ドラム９内の洗濯物が乾燥される。
【００３９】
このように本構成のものでは、洗い行程において、空気循環装置３７とヒートポンプ４２とを運転させると共に、そのヒートポンプ４２の凝縮器３９の外表面に注水することによって空気循環装置３７により循環される空気を加湿するようにしており、それによって、ドラム９内に高温多湿の空気が供給され、その高温多湿の空気は上記ドラム９内空気の循環と凝縮器３９への注水とで生成したもので、温度が凝縮器３９の温度に依存するため、従来の、水を加熱し沸騰させて生成したスチームよりも低温であり、かくして、洗濯物に適度な温度の熱を与えるから、熱に弱い洗濯物にもダメージを与えることなく、洗濯物の汚れ落ちを良くすることができる。
【００４０】
又、本構成のものにおいては、注水中の凝縮器３９の温度を所定温度（例えば約７８〔℃〕）に維持する制御をするようにしており、それによって、凝縮器３９の温度が注水で下がり過ぎることのないようにし、洗濯物の汚れの落ちが良くなる効果をより確実に得ることができる。
【００４１】
更に、本構成のものにおいては、凝縮器３９における冷媒の流れと循環空気の流れとを逆方向とし、注水を、凝縮器３９における冷媒の凝縮ポイントＣＰより冷媒流れの上流側の部分に対して行うようにしている。
これについて、図３の（ａ）には凝縮器３９の温度分布を示している。凝縮器３９には、前述のように圧縮機４０で加圧された高温の冷媒が流れるが、同時に循環用送風機２９により循環される空気が当たり、熱を奪う。
【００４２】
圧縮機４０から吐出された冷媒は気体の状態であり、凝縮器３９に入って空気に熱量を与えるに従い、気体から液体に変わり始める。それがほゞ完了する点が凝縮ポイントＣＰであり、そこまでは気体が液体に変わる潜熱による熱量の移動となり、大きい熱量の移動が可能である。一方、凝縮ポイントＣＰより冷媒流れの下流側では、液体となって流れることから、液体の温度変化、顕熱による熱量の移動となる。従って、外部から見た温度変化は大きいが、熱量の移動量は小さい。
【００４３】
本構成のものでは、上記潜熱に係る効率の高い部分に対して注水を行うようにしているものであり、その部分で水との熱交換を行うことにより、液冷媒の温度変化を最小に抑えることができる。従って、凝縮器３９の全体に対して注水した場合と比較して、空気の入ってくる凝縮器３９の冷媒出口部分の温度を高く保つことができ、空気温度の低下を抑制する効果がある。かくして、より効率良く熱量を洗濯物に与えることができる。
【００４４】
加えて、本構成のものでは、洗い行程においてドラム９に対し給水する「給水」動作の前に、空気循環装置３７とヒートポンプ４２の運転、並びに凝縮器３９への注水による「加熱」動作を実行するようにしており、それによって、吸水する前の乾いた洗濯物に高温多湿の空気を供給するから、熱容量の小さい状態の洗濯物に熱量を与えることができ、比較的早期に温度上昇させることができる。そして、それにより油脂分が溶化した段階で給水、特には洗剤液を洗濯物にかけるものであり、それによって、界面活性剤によるミセル内に油脂分を分離し、効果的に汚れを排除することができる。
【００４５】
以上に対して、図６及び図７は本発明の第２及び第３実施例（第２及び第３の実施形態）を示すもので、それぞれ、第１実施例と同一の部分には同一の符号を付して説明を省略し、異なる部分についてのみ述べる。
【００４６】
［第２実施例］
図６には、（ａ）に、圧縮機４０の駆動周波数を一定として駆動制御した場合の凝縮器３９の温度並びにドラム９の入口部分の温度を、給水弁４６で供給する水（水道水）の温度の高低別に表している。水の温度が低い場合には、凝縮器３９の温度低下が大きく、それにより凝縮器３９から熱量を与えられる空気の温度も下がることになり、ドラム９内への熱量の供給量が少なくなってしまう。
【００４７】
それに対して、この第２実施例においては、（ｂ）に示すように、最初の給水開始から所定時間（この場合、４０秒）後の凝縮器３９の温度を、前記凝縮ポイントＣＰに設けた温度センサにより検知し、その検知温度が所定温度Ｔ０超であった場合には、圧縮機４０の駆動周波数は変えず、所定温度Ｔ０以下であった場合には、圧縮機４０の駆動周波数を例えば２０〔Ｈｚ〕増す。すなわち、この第２実施例においては、凝縮器３９に注水したときの、該凝縮器３９の温度検知結果に基づいて、圧縮機４０の駆動を制御するようにしているもので、それにより、冷媒の循環流量が増加し、ドラム９内への熱量の供給量を増やすことができる。
【００４８】
［第３実施例］
図７に示す第３実施例においては、洗い行程における前述の「給水」動作時に、ドラム９の周側部（胴部）９ａの最低部以下水位の給水をして、その後に、「加熱」動作を実行し、すなわち、ドラム９の回転と、空気循環装置３７及びヒートポンプ４２の運転、並びに凝縮器３９への注水を実行するようにしている。
【００４９】
このようにすることにより、「加熱」動作で温度を上げた洗濯物が、その後の「給水」動作で温度が下がることを避け、溶化した油脂が硬化してしまうことを回避することがてきる。しかも、この場合、ドラム９の周側部９ａの最低部以下という給水水位の設定により、「給水」動作後の「加熱」動作におけるドラム９の回転で水槽２内の洗剤液が泡立ってしまうことも避けることができて、その泡が通風ダクト２４のリントフィルタ２６や蒸発器３８の部分に至って送風の圧力損失となることで効率の低下を来たすことを回避することができる。
【００５０】
このほか、本発明は上記し且つ図面に示した実施例にのみ限定されるものではなく、要旨を逸脱しない範囲内で適宜変更して実施し得る。
【図面の簡単な説明】
【００５１】
【図１】本発明の第１実施例を示す洗濯乾燥機全体の縦断側面図
【図２】ヒートポンプのサイクル構成図
【図３】凝縮器の温度分布を示す図（ａ）と、凝縮器の構造を示す概略的平面図（ｂ）
【図４】標準的な運転コースの行程図
【図５】洗い行程の加熱動作時の制御の様子を示す図
【図６】本発明の参考例を示す図５相当図（ａ）と、第２実施例を示す図５相当図（ｂ）
【図７】本発明の第３実施例を示す図４相当図
【符号の説明】
【００５２】
図面中、９はドラム（洗濯槽）、３４は通風路、３７は空気循環装置、３８は蒸発器、３９は凝縮器、４０は圧縮機、４１は絞り器、４２はヒートポンプ、４４は注水器、Ａは冷媒の流れ方向、Ｂは循環空気の流れ方向、ＣＰは凝縮ポイントを示す。
【図１】
2009225944.tif 000003
【図２】
2009225944.tif 000004
【図３】
2009225944.tif 000005
【図４】
2009225944.tif 000006
【図５】
2009225944.tif 000007
【図６】
2009225944.tif 000008
【図７】
2009225944.tif 000009